(57)【要約】【課題】  加工上の困難性や使用上の不具合のないピン止め具を提供する。【解決手段】  弾性的変形可能な材料からなり、ピン挿入用のリング状挿入部と、この挿入部の外周対向位置から挿入部リング軸側へ傾いた角度で立ち上げて先端のピン止め部間がピンの周溝に食い込む相互間隔とされた１対の板状のピンガイドと、前記１対のピンガイドの上方両側部から折り曲げてアーチ状に形成した１対のハンドル部材からなり、これらのハンドル部材の対の脚部間には対向するピンガイドのピン止め部を挿通させると共に、対の脚部が連結する先端ブリッジ部を対向するピンガイドの径方向外側まで至らせた、ピン止め具。【選択図】          図８   
2006000300.tif 000002
【特許請求の範囲】
【請求項１】
弾性的変形が可能な材料からなり、先端部付近に周溝を有するピンをその周溝において開放可能に止着するピン止め具であって、
（１）基底部においては、前記ピンを一定の遊びを余して挿入できるリング状の挿入部を備え、
（２）この挿入部の外周対向位置からは１対の板状のピンガイドを挿入部リング軸側へ傾いた角度で立ち上げることにより、これらのピンガイドの上方中央部に設けたピン止め部を前記ピンの周溝に食い込む相互間隔に設定し、かつ、
（３）前記１対のピンガイドの上方両側部からは、挿入予定のピンの直径よりも広い間隔を持つ対の脚部を備えたアーチ状のハンドル部材を対向するピンガイド方向へ形成し、これらのハンドル部材の対の脚部間には対向するピンガイドのピン止め部を挿通させると共に、対の脚部が連結する先端ブリッジ部を対向するピンガイドの径方向外側まで至らせている、
ことを特徴とするピン止め具。
【請求項２】
前記１対のハンドル部材における対の脚部が互いに上下に重なっており、上下いずれかのハンドル部材の脚部からは他方のハンドル部材の脚部をガイド及び規制する突片が設けられていることを特徴とする請求項１に記載のピン止め具。
【請求項３】
前記１対のハンドル部材の内、一方の幅広のハンドル部材の対の脚部間に他方の幅狭のハンドル部材を挿入させており、かつ、これら１対のハンドル部材はそれぞれ、他方のピンガイドにおける前記ピン止め部又はハンドル部材の脚部に設けた突片によってガイド及び規制されていることを特徴とする請求項１に記載のピン止め具。
【請求項４】
前記ピン止め具の全ての部分が一体の弾性的変形材料からなることを特徴とする請求項３に記載のピン止め具。
【請求項５】
前記ハンドル部材の先端ブリッジ部が挿入部リング軸方向に立ち上げ形成されていることを特徴とする請求項１〜請求項４のいずれかに記載のピン止め具。
【請求項６】
前記１対の板状のピンガイドが、挿入部リング軸を中心とする円弧形の断面形状を有することを特徴とする請求項１〜請求項５のいずれかに記載のピン止め具。
【請求項７】
前記ピン止め具がピアスのピン止め具であることを特徴とする請求項１〜請求項６のいずれかに記載のピン止め具。
【請求項８】
前記ピン止め具が貴金属製又はバネ鋼製であることを特徴とする請求項１〜請求項７のいずれかに記載のピン止め具。
【請求項９】
弾性的変形が可能な材料からなり、先端部付近に周溝を有するピンに対する止め具を形成するための平坦な一体的板状部材であって、
（４）前記ピンを一定の遊びを余して挿入できるリング状の挿入部を備え、
（５）この挿入部の外周対向位置からは１対の板状のピンガイドを反対方向へ設け、これらのピンガイドの先端中央部にはピン止め部を形成すると共に、その
両側部からは対の脚部を備えたアーチ状のハンドル部材を先端方向へ向かって所定の長さに設け、
（６）これらのハンドル部材の内、一方の幅狭のハンドル部材における対の脚部は挿入予定のピンの直径よりも広い間隔を持ち、他方の幅広のハンドル部材における対の脚部は前記幅狭のハンドル部材を挿通させ得る間隔を持ち、かつ、
（７）前記１対の板状のピンガイドにおけるピン止め部又はハンドル部材脚部にはそれぞれ、他方のピンガイドにおけるハンドル部材の脚部をガイド及び規制するための突片を備えている、
ことを特徴とするピン止め具形成用部材。
【請求項１０】
前記ハンドル部材の先端ブリッジ部には、先端方向への延設幅が拡大された指当て予定部を設けたことを特徴とする請求項９に記載のピン止め具形成用部材。
【請求項１１】
前記ピン止め具形成用部材が、薄い貴金属板又は薄いバネ鋼板の打ち抜き加工により得られたものであることを特徴とする請求項９又は請求項１０に記載のピン止め具形成用部材。
【発明の詳細な説明】
【技術分野】
【０００１】
本発明はピン止め具及びピン止め具形成用部材に関する。更に詳しくは本発明は、先端部付近に周溝を有するピンを、その周溝において開放可能に止着するためのピン止め具、及び、特定のピン止め具を形成するために用いられるピン止め具形成用部材に関する。本発明のピン止め具及びピン止め具形成用部材は、例えば身体装飾品のピン止め具に対して好ましく適用される。特に、貴金属を用いた身体装飾品、及び／又は、耳飾り用ピアス等のピン止め具に対して好ましく適用される。
【背景技術】
【０００２】
従来、ピンを含んで構成される身体装飾品、例えば耳等に穴をあけて取り付けるピアスにおいては、図１（ａ）に簡単に図示するように、先端部付近に周溝２を有するピン１を図示省略のピン止め具に挿入し、ピン止め具の止め部材３を周溝２に対する係合位置に進入させて固定する、と言う構造が一般的である。そしてピン止め具からピン１を抜く場合には、図１（ｂ）に図示するように、ピン止め具の構造と機能に応じた適宜な操作によって、止め部材３を周溝２から離脱させるようになっている。
【０００３】
特に近年のピン止め具においては、ピンの周溝に対する止め部材の進入と離脱とを、バネ材等の弾性的な変形機能を利用して行う構造が多くなっている。通常のピン止め具は非常に小さなサイズであるため、バネ式のピン止め機構によってピン止め具の構造を簡素化しようとすることは合理的である。このようなバネ式のピン止め機構においては、ピンの周溝に対して止め部材の進入させた際、指先に一定の手応えを伝えたり、「カチッ」と言う嵌合音を生じさせたりすることが設計上可能あるいは容易であるため、装着者の操作上においても便宜である。
【０００４】
下記「特許文献１」において提案された耳飾りの止め金具（第１の従来技術）では、図２（ａ）に示すように、基板４の中央部を構成するガイド部５に設けた孔６に筒状のガイドピース７を嵌め込み、このガイドピース７の貫通孔８から、ピアスのピンを挿入するようになっている。一方、基板４から設けた弾性片９にはガイド溝１０を形成しており、この弾性片９が基板４の裏側へゆるやかに曲げられてループ部１１を構成している。要するに、図２（ｂ）に示すように、ピン１２を基板４に挿入した後、その周溝１３にループ部１１を食い込ませることにより、ピン１２を止着する構造である。
【特許文献１】特開２００２−３３６０１４  次に、図３（ａ）及び図３（ｂ）に断面図で示すようなピン止め具（第２の従来技術）も提案されている。即ち、このピン止め具１４においては全体的に円形又は楕円形であるカバー１５の内部に、弾性的に変形可能な材料からなる１対の止め部材１６が収納されている。これらの止め部材１６は、中央のピン挿入予定部１７に対して点対称に構成されており、それぞれ図示する形状のピン止めアーム１８と押さえアーム１９とを備えている。
【０００５】
そして、ピン止め状態においては、図３（ａ）に示すように、各一方の止め部材１６の押さえアーム１９が、他方の止め部材１６を反対方向へ押しつけ、結果的にピン止めアーム１８をピン挿入予定部１７の方向へ押付けている。そのため、ピン挿入予定部１７にある図示省略のピンは、１対のピン止めアーム１８によって止着される。
【０００６】
ピン止め具１４からピンを抜きたい時は、止め部材１６においてカバー１５の外側へ突出したボタン部２０を中央方向へ押し込む。そうすると、図３（ｂ）に示すように、１対のピン止めアーム１８がそれぞれ押さえアーム１９の付勢力に抗してピンから離脱し、ピンの止着状態が解除される。
【発明の開示】
【発明が解決しようとする課題】
【０００７】
しかし、上記第１及び第２の従来技術においては、次のような欠点があった。まず、これらの従来技術の問題点として、ピン止め具の止め部材（第１の従来技術におけるループ部１１、第２の従来技術におけるピン止めアーム１８）がピンの周溝に対して基本的に径方向（真横の方向）から当接される構造である。
【０００８】
このような構造の場合、ピンの挿入力Ａ（ピン止め具に対するピンの挿入時に要する力）と、ピン抜き力Ｂ（止め部材の離脱操作なしにピンが抜けるために要する力）とは、基本的に同じ強さとなる。その結果、ピン止め操作の容易さを考慮してピンの挿入力Ａを小さく設定すると、ピン抜き力Ｂも小さくなるため、例えばピアスが髪の毛に引掛かる等と言う予想外の理由で、ピン抜き操作を行っていないのにピンが抜けてしまい、ピアスが落ちたり、その結果としてピアスを紛失してしまったりすることが少なくなかった。
【０００９】
次に、第１の従来技術においては、非常に微細な筒状ガイドピース７を製造し、かつ、これを基板４の孔６に嵌め込む必要がある。そしてこの嵌め込み部分を溶接等の手段により固定する必要がある。又、第２の従来技術においては、図示のような複雑精妙な形状の１対のピン止め具１４と、カバー１５とをそれぞれ製造し、適正に組み立てる必要がある。従って、製造時及び組み立て時の困難性から、製造コスト及び組み立てコストの増大を余儀なくされる。
【００１０】
本発明は、先端部付近に周溝を有するピンをその周溝において開放可能に止着するバネ式のピン止め具であって、ピンの挿入力Ａは小さいが、ピン抜き力Ｂは大きく、その大きなピン抜き力Ｂは簡単な解除操作（ピンの周溝からの止め部材の離脱操作）によって容易に解除されると言う構造的特徴を持ち、しかも加工上の困難性や使用上の不具合を伴わず、構造的安定性も高いピン止め具を提供することを、解決すべき技術的課題とする。
【課題を解決するための手段】
【００１１】
（第１発明の構成）
上記課題を解決するための本願第１発明の構成は、弾性的変形が可能な材料からなり、先端部付近に周溝を有するピンをその周溝において開放可能に止着するピン止め具であって、
（１）基底部においては、前記ピンを一定の遊びを余して挿入できるリング状の挿入部を備え、
（２）この挿入部の外周対向位置からは１対の板状のピンガイドを挿入部リング軸側へ傾いた角度で立ち上げることにより、これらのピンガイドの上方中央部に設けたピン止め部を前記ピンの周溝に食い込む相互間隔に設定し、かつ、
（３）前記１対のピンガイドの上方両側部からは、挿入予定のピンの直径よりも広い間隔を持つ対の脚部を備えたアーチ状のハンドル部材を対向するピンガイド方向へ形成し、これらのハンドル部材の対の脚部間には対向するピンガイドのピン止め部を挿通させると共に、対の脚部が連結する先端ブリッジ部を対向するピンガイドの径方向外側まで至らせている、ピン止め具である。
【００１２】
（第２発明の構成）
上記課題を解決するための本願第２発明の構成は、前記第１発明に係る１対のハンドル部材における対の脚部が互いに上下に重なっており、上下いずれかのハンドル部材の脚部からは他方のハンドル部材の脚部をガイド及び規制する突片が設けられている、ピン止め具である。
【００１３】
（第３発明の構成）
上記課題を解決するための本願第３発明の構成は、前記第１発明に係る１対のハンドル部材の内、一方の幅広のハンドル部材の対の脚部間に他方の幅狭のハンドル部材を挿入させており、かつ、これら１対のハンドル部材はそれぞれ、他方のピンガイドにおける前記ピン止め部又はハンドル部材の脚部に設けた突片によってガイド及び規制されている、ピン止め具である。
【００１４】
（第４発明の構成）
上記課題を解決するための本願第４発明の構成は、前記第３発明に係るピン止め具の全ての部分が一体の弾性的変形材料からなる、ピン止め具である。
【００１５】
（第５発明の構成）
上記課題を解決するための本願第５発明の構成は、前記第１発明〜第４発明のいずれかに係るハンドル部材の先端ブリッジ部が挿入部リング軸方向に立ち上げ形成されている、ピン止め具である。
【００１６】
（第６発明の構成）
上記課題を解決するための本願第６発明の構成は、前記第１発明〜第５発明のいずれかに係る１対の板状のピンガイドが、挿入部リング軸を中心とする円弧形の断面形状を有する、ピン止め具である。
【００１７】
（第７発明の構成）
上記課題を解決するための本願第７発明の構成は、前記第１発明〜第６発明のいずれかに係るピン止め具がピアスのピン止め具である、ピン止め具である。
【００１８】
（第８発明の構成）
上記課題を解決するための本願第８発明の構成は、前記第１発明〜第７発明のいずれかに係るピン止め具が、貴金属製又はバネ鋼製である、ピン止め具である。
【００１９】
（第９発明の構成）
上記課題を解決するための本願第９発明の構成は、弾性的変形が可能な材料からなり、先端部付近に周溝を有するピンに対する止め具を形成するための平坦な一体的板状部材であって、
（４）前記ピンを一定の遊びを余して挿入できるリング状の挿入部を備え、
（５）この挿入部の外周対向位置からは１対の板状のピンガイドを反対方向へ設け、これらのピンガイドの先端中央部にはピン止め部を形成すると共に、その
両側部からは対の脚部を備えたアーチ状のハンドル部材を先端方向へ向かって所定の長さに設け、
（６）これらのハンドル部材の内、一方の幅狭のハンドル部材における対の脚部は挿入予定のピンの直径よりも広い間隔を持ち、他方の幅広のハンドル部材における対の脚部は前記幅狭のハンドル部材を挿通させ得る間隔を持ち、かつ、
（７）前記１対の板状のピンガイドにおけるピン止め部又はハンドル部材脚部にはそれぞれ、他方のピンガイドにおけるハンドル部材の脚部をガイド及び規制するための突片を備えている、ピン止め具形成用部材である。
【００２０】
（第１０発明の構成）
上記課題を解決するための本願第１０発明の構成は、前記第９発明に係るハンドル部材の先端ブリッジ部には、先端方向への延設幅が拡大された指当て予定部を設けた、ピン止め具形成用部材である。
【００２１】
（第１１発明の構成）
上記課題を解決するための本願第１１発明の構成は、前記第９発明又は第１０発明に係るピン止め具形成用部材が、薄い貴金属板又は薄いバネ鋼板の打ち抜き加工により得られたものである、ピン止め具形成用部材である。
【発明の効果】
【００２２】
（第１発明の効果）
第１発明のピン止め具は以下のように作用する。即ち、まず最初に、先端部付近に周溝を有するピンを、ピン止め具の基底部に設けたリング状の挿入部から刺し込む。刺し込まれたピンは、挿入部の外周から立ち上げられた１対の板状のピンガイドを弾性的に押し拡げながら進入する。
【００２３】
このピンの進入動作においては、仮にピンの刺し込み方向が正確でなくても、１対のピンガイドの案内作用が働き、かつ、ピンの直径よりも広い間隔を持つ対の脚部を備えたアーチ状のハンドル部材の案内作用が働く。その結果、ピンの刺し込み方向は自動的に修正され、「刺し込み違い」は起こらない。そして、ピンの周溝がピンガイドの先端間に達した時、１対のピンガイドの上方中央部に設けたピン止め部が周溝に食い込むことにより、その進入位置においてピンが固定される。
【００２４】
ピン止め部がバネ力によって周溝に食い込む際には、指先に一定の手応えが伝わり、あるいは「カチッ」と言う嵌合音を生じるので、ピンの固定が完了したことを容易に確認することができる。
【００２５】
次に、ピン止め具からピンを抜く場合には、それぞれのピンガイドから設けた１対のハンドル部材の先端ブリッジ部を、手指を用いてピン止め具の中心方向へ押し込めば良い。これらのハンドル部材はそれぞれのピンガイドから延設されているので、上記の操作により１対のピンガイドがピンより離れる方向へ弾性的に変形し、ピンの周溝に食い込んだピン止め部が周溝より離脱する。従ってピンがピン止め具から容易に抜ける。
【００２６】
以上の作用から分かるように、第１発明のピン止め具においては、挿入部リング軸側へ傾いた角度で基底部から立ち上げた１対の板状のピンガイドのピン止め部がピンの周溝に食い込むことによってピン止めが行われる。そしてこの場合、ピンの周溝に対するピン止め部の当接方向は、ピンの軸方向に対して真横ではなく、ピンの抜け方向に対するほぼ反対方向である。
【００２７】
従って、ピン止め具に対するピンの挿入時に要する力、即ちピンの挿入力Ａは非常に小さく、上記のピン止め操作は容易である。一方、ピン止め部の離脱操作なしにピンが抜けるために要する力、即ちピン抜き力Ｂは非常に大きい。従って、ピン抜き操作を行っていないのに、ピアスが髪の毛に引掛かる等と言う予想外の理由でピンが抜けてしまう、と言う不具合がない。そして、その大きなピン抜き力Ｂは、上記のピン抜き操作によって容易に解除することができる。
【００２８】
更に、ピン抜き操作に必要な１対のハンドル部材は、ピンガイドから形成した対の脚部によって支えられたアーチ形状である。従ってハンドル部材が構造的に強固である。
【００２９】
（第２発明の効果）
第２発明のピン止め具においては、対向するピンガイドから設けた１対のハンドル部材における対の脚部が互いに上下に重なっている。従って、ハンドル部材が構造的に一層強固である。
【００３０】
更に、上下いずれかのハンドル部材の脚部からは他方のハンドル部材の脚部をガイド及び規制する突片が設けられている。そのため、ピンが１対の板状のピンガイドを弾性的に押し拡げながら進入する動作において、及び、１対のハンドル部材をピン止め具の中心方向へ押し込む操作において、１対のハンドル部材は相互にガイドされ及び規制されながら動く。従って、ピン止め具及びハンドル部材の構造的／機能的な安定性が高い。
【００３１】
又、このピン止め具の使用状態において、ハンドル部材が装着者の髪の毛等に引掛り、そのピンガイドからの折り曲げ部が立ち上がってしまう方向への外力を受ける可能性もあるが、一方のハンドル部材がこのような外力を受けても、他方のハンドル部材から受ける規制によって、その変形が有効に防止される。更に、ピン止め具がステンレス鋼からなる場合において特に、焼鈍により固定化したハンドル部材の基部の折り曲げが経時的に甘くなる可能性もあるが、それによるハンドル部材の立ち上がりも、同上に理由から防止される。
【００３２】
（第３発明の効果）
第３発明のピン止め具においては、対向するピンガイドから設けた１対のハンドル部材の内、一方の幅広のハンドル部材の対の脚部間に他方の幅狭のハンドル部材を挿入させている。即ち、１対のハンドル部材の脚部が横並びの入れ子式に組み合わされている。従って、ハンドル部材が構造的に一層強固である。
【００３３】
更に、これら１対のハンドル部材はそれぞれ、他方のピンガイドにおける前記ピン止め部又はハンドル部材の脚部に設けた突片によってガイド及び規制されている。そのため、ピンが１対の板状のピンガイドを弾性的に押し拡げながら進入する動作において、及び、１対のハンドル部材をピン止め具の中心方向へ押し込む操作において、１対のハンドル部材は互いにガイドされ及び規制されながら動く。従ってピン止め具及びハンドル部材の構造的／機能的な安定性が高い。
【００３４】
又、このピン止め具の使用状態において、ハンドル部材が装着者の髪の毛等に引掛り、そのピンガイドからの折り曲げ部が立ち上がってしまう方向への外力を受ける可能性もあるが、ハンドル部材がこのような外力を受けても、上記の規制によって、その変形が有効に防止される。更に、ピン止め具がステンレス鋼からなる場合において特に、焼鈍により固定化したハンドル部材の基部の折り曲げが経時的に甘くなる可能性もあるが、それによるハンドル部材の立ち上がりも、同上の理由から防止される。
【００３５】
（第４発明の効果）
第４発明のピン止め具は、その全ての部分が一体の弾性的変形材料からなり、かつ、後述するように、所定形状に打ち抜き成形された一枚の平坦な金属板から形成できるように構成されている。従って、低コストで簡単に製造することができる。
【００３６】
（第５発明の効果）
ハンドル部材の先端ブリッジ部に、第５発明のような立ち上げ部を形成すると、手指を用いてハンドル部材を押し込む操作において、この立ち上げ部を指当てに用いることができ、ハンドル部材を押し込む操作を行い易い。
【００３７】
（第６発明の効果）
前記した１対の板状のピンガイドが、挿入部リング軸を中心とする円弧形の断面形状を有する場合、ピンガイドの構造的強度が高く、しかもピンガイドの上方中央部に設けたピン止め部がピンの周溝に対してスムーズに食い込む。
【００３８】
（第７発明の効果）
第１発明〜第６発明に係るピン止め具は、要するに先端部付近に周溝を有するピンをその周溝において開放可能に止着するためのものである限りにおいて種類を限定されないが、ピアスのピン止め具として用いることが特に好ましい。
【００３９】
（第８発明の効果）
ピン止め具の構成材料は、弾性的変形が可能な材料である限りにおいて限定されないが、例えばピアス等の用途を重視する点からは金等の貴金属製であることが好ましく、ピン止め具の弾性的変形能を重視する場合には真鍮やスチール等のバネ鋼製であることが好ましい。
【００４０】
（第９発明の効果）
第９発明のピン止め具形成用部材を用いることにより、次の加工要領で、第３発明のピン止め具を容易に形成することができる。
【００４１】
即ち、まず、リング状の挿入部から反対方向へ設けた１対の板状のピンガイドを折り曲げ、挿入部リング軸側へ傾いた角度で立ち上げさせる。その際の立ち上げ角度は、１対のピンガイドの先端中央部に設けたピン止め部がピンの周溝に食い込む相互間隔となるような角度である。ピン止め具形成用部材が例えばスチール製である場合等には、この折り曲げ加工、及び後述の折り曲げ加工において、焼鈍等の手段で、材料の弾性的変形能を損なうことなく、折り曲げた部分の形状を固定化することができる。
【００４２】
次に、１対のピンガイドの先端から突出形成されたアーチ状のハンドル部材を対向するピンガイドの方向へ折り曲げる。この折り曲げ加工の際、一方の幅狭のハンドル部材を他方の幅広のハンドル部材の脚部間に挿入させ、両者の脚部を横並びの入れ子式に組み合わせる。その際、アーチ状のハンドル部材を少し捩じることにより、幅狭のハンドル部材を、ピン止め部やハンドル部材の脚部に設けたガイド及び規制用の突片を回避させながら、幅広のハンドル部材の脚部間に挿入できる。そしてガイド及び規制用の突片が他方のハンドル部材の脚部に係止された状態となり、入れ子式の組み合わせ構造が安定化及び強化される。
【００４３】
（第１０発明の効果）
ピン止め具形成用部材において、ハンドル部材の先端ブリッジ部に第１０発明のような指当て予定部を設けておくと、この指当て予定部を折り曲げて挿入部リング軸方向に立ち上げ形成させることにより、第５発明のような指当て部を構成することができる。
【００４４】
（第１１発明の効果）
ピン止め具形成用部材は、いずれも、薄い貴金属板又は薄いバネ鋼板に対する一度の打ち抜き加工により成形することが可能である。従って製造工程が簡易であり、製造コストを低減化できる。
【発明を実施するための最良の形態】
【００４５】
次に、本願の第１発明〜第１１発明の実施形態を、その最良の形態を含めて説明する。以下において単に「本発明」と言うときは、上記の一定の発明群を一括して指している。
【００４６】
〔ピン止め具〕
本発明に係るピン止め具は、先端部付近に周溝を有するピンをその周溝において開放可能に止着する止め具であって、弾性的変形が可能な材料からなる。弾性的変形が可能な材料の種類は限定されないが、例えば金や白金等の貴金属は一定の弾性的変形能を有し、利用可能である。バネ変形能のみから言えば、真鍮やステンレス鋼等のバネ鋼がより好ましい。
【００４７】
ピン止め具は、基底部においてピンの刺し込み孔であるリング状の挿入部を備え、この挿入部の外周対向位置から１対の板状のピンガイドを立ち上げ、１対のピンガイドの上方中央部に設けたピン止め部をピンの周溝に食い込む相互間隔に設定すると共に、１対のピンガイドの上方両側部からは、挿入予定のピンの直径よりも広い間隔を持つ対の脚部を備えたアーチ状のハンドル部材を対向するピンガイド方向へ形成した構成である。ハンドル部材の対の脚部間には対向するピンガイドのピン止め部を挿通させており、従って、ハンドル部材の先端ブリッジ部は対向するピンガイドの径方向外側に位置する。
【００４８】
ピン止め具の用途又は種類は、ピンを止着する部品である限りにおいて任意であるが、好ましくはピン止め式の各種装身具の止め具、例えば耳飾りとしてのピアス、ピン止め式のブローチ、ピン止め式のタイタック等を例示することができる。とりわけ、耳飾りとしてのピアスが好ましい。
【００４９】
〔挿入部〕
挿入部は、ピン止め具の基底部を構成し、ピン刺し込み孔を備えた平板リング状の部分である。ピン刺し込み孔は、ピンを一定の遊びを余して挿入できる内径を持つことが好ましい。一方、リング状基底部の外径は任意に設定することができるが、その外周部は全体として円形であることが、後述のピンガイドを円弧形の断面形状を有する板状に形成する点から、好ましい。
【００５０】
〔ピンガイド〕
ピンガイドは、前記挿入部の外周対向位置から１対に立ち上げて形成される板状の部材である。そして１対のピンガイドは、リング状挿入部の軸線を中心とする円弧形の断面形状を有することが好ましい。１対のピンガイドの立ち上げ角度は、リング状挿入部の軸線方向に傾いた角度であって、前記のように１対のピン止め部がピンの周溝に食い込む相互間隔となるような角度である。
【００５１】
ピンガイドの横方向（リング状挿入部の軸線に対する径方向）の幅は、一般的には限定されないが、後述のハンドル部材の構成に基づく一定の制約がある。
【００５２】
〔ハンドル部材〕
ハンドル部材は、１対のピンガイドの先端部近傍の壁部における両側の側端から二脚のアーチ状に突出して形成され、かつ、対向するピンガイド方向へ折り曲げて形成される。このハンドル部材の対の脚部は、挿入部のピン刺し込み孔から刺し込まれるピンに干渉しない両側方位置を通過し、かつ対向するピンガイドの径方向外側まで至る。ハンドル部材のアーチ状開口部には対向するピンガイドのピン止め部を挿通させるが、そのピン止め部とアーチ状開口部の先端側部分との間には、ハンドル部材をピン止め具中心方向へ押し込む際の押し込み幅に相当する幅以上のクリアランスを必要とする。
【００５３】
ハンドル部材の先端ブリッジ部には、指当て部を設けることが好ましい。この指当て部は、ピン止め具からピンを抜く場合において、手指を用いてハンドル部材をピン止め具の中心方向へ押し込む際に利用するものであり、従って、挿入部リング軸方向に立ち上げ形成された形状を持つことが、特に好ましい。
【００５４】
（ハンドル部材の最良の実施形態−１）
上記した１対のハンドル部材における対の脚部が互いに上下に重なっており、上下いずれかのハンドル部材の脚部からは他方のハンドル部材の脚部をガイド及び規制する突片が設けられている、と言うハンドル部材の実施形態が、特に好ましい。
【００５５】
このような突片は上下に重なったハンドル部材のいずれに設けても良い。突片の形状及び機能としては、一方のハンドル部材から他方のハンドル部材の側部へ屈曲して突出され、他方のハンドル部材の横ズレ（ハンドル部材の本来の往復移動方向に対する、同一平面上の交差方向へのズレ）を規制する突片が好ましい。更に、一方のハンドル部材から、他方のハンドル部材の側部を経由して裏側に至るまで屈曲して突出され、他方のハンドル部材の横ズレだけでなく、縦ズレ（ハンドル部材が立ち上がる方向への変形）をも規制する突片が特に好ましい。
【００５６】
（ハンドル部材の最良の実施形態−２）
上記した１対のハンドル部材の内、一方の幅広のハンドル部材の対の脚部間に他方の幅狭のハンドル部材を挿入させており、かつ、これら１対のハンドル部材はそれぞれ、他方のピンガイドにおけるピン止め部又はハンドル部材の脚部に設けた突片によってガイド及び規制されている、と言うハンドル部材の実施形態も、特に好ましい。
【００５７】
このような、ピン止め部又はハンドル部材の脚部に設ける突片は、例えば後述の実施例に示す形態で設けることもできるが、その目的を達成する限りにおいて、ピン止め部又はハンドル部材の脚部の任意の部位に任意の形態で設けることができる。
【００５８】
〔ピン止め具形成用部材〕
本発明に係るピン止め具形成用部材は、ピン止め具に関して前記したところと同様な意味において、弾性的変形が可能な材料からなる。又、ピン止め具形成用部材は、平坦な一体的板状部材である。この部材の厚さは特に限定されないが、構成材料の弾性的変形能と折り曲げ加工との兼ね合い、折り曲げ加工の際の焼鈍効果の度合い等を考慮して適宜に決定される。
【００５９】
ピン止め具形成用部材は、折り曲げ加工によって、上記の「ハンドル部材の最良の実施形態−２」に係るハンドル部材を備えたピン止め具をそのまま形成できるように工夫された、ピン止め具形成の専用部品である。
【００６０】
ピン止め具形成用部材の構成としては、ピンを一定の遊びを余して挿入できるリング状の挿入部を備え、この挿入部の外周対向位置からは１対の板状のピンガイドを反対方向へ設け、これらのピンガイドの先端中央部にはピン止め部を形成すると共に、その両側部からは対の脚部を備えたアーチ状のハンドル部材を先端方向へ向かって所定の長さに設けたものである。
【００６１】
そして、上記のハンドル部材の内、一方の幅狭のハンドル部材における対の脚部は挿入予定のピンの直径よりも広い間隔を持ち、他方の幅広のハンドル部材における対の脚部は前記幅狭のハンドル部材を挿通させ得る間隔を持ち、かつ１対の板状のピンガイドにおけるピン止め部又はハンドル部材脚部にはそれぞれ、他方のピンガイドにおけるハンドル部材の脚部をガイド及び規制するための突片を備えたものである。
【００６２】
更に、ピン止め具の前記指当て部を形成するために、ハンドル部材の先端であるブリッジ部には、前記した指当て予定部を設けることも好ましい。ピンガイドにおけるハンドル部材の基部とピン止め部との間には、切り込み又は一定のスペース幅を有するスリットを設ける。
【００６３】
このような平坦な一体的板状部材からなる所定形状のピン止め具形成用部材を製造する方法は任意であるが、最も効率的で好ましい方法が、上記のような弾性的変形が可能な材料からなる平坦な薄板材に打ち抜き加工を施し、上記の所定の形状を一度に得ることである。
【００６４】
〔ピンの構成〕
なお、本願発明のピン止め具においては、前記のように、ピンの周溝に対するピン止め部の当接方向がピンの抜け方向に対するほぼ反対方向である、と言う大きな特徴を持つ。従って、例えば図１２に示すように、ピン２１の周溝２２を、ピン２１の抜け方向に対するほぼ反対方向へ深く彫り込まれた断面形状とすることで、特に顕著な抜け止め効果を期待できる。
【実施例】
【００６５】
以下に本発明の実施例を図面に基づいて説明する。本発明の技術的範囲がこれらの実施例によって限定されないことは、もちろんである。
【００６６】
（実施例１：ピン止め具の第１実施例）
図４に示すピン止め具２３は耳飾り用ピアスのピン止め具であって、弾性的変形が可能な材料である金を用いて構成されている。ピン止め具２３の基底部である挿入部２４は円形の平板リング状に形成され、その中央の挿入孔２５は、図５に示すように、ピン２６を一定の遊びを余して挿入できる内径を持っている。
【００６７】
挿入部２４の円形の外周部における左右の対向位置からは、１対の板状のピンガイド２７を立ち上げて形成している。従って、これらのピンガイド２７も挿入部２４のリング軸線Ｘを中心とする円弧形の断面形状を有している。弾性的変形が可能な材料からなるピンガイド２７が円弧形の断面形状を有することによって、ピンガイド２７の弾発力が強くなり、かつ、ピンガイド２７の上方中央部に設けたピン止め部２８がピン２６の周溝に対して食い込み易くなる。
【００６８】
ピンガイド２７は、挿入部２４に対して垂直方向ではなく、前記リング軸線Ｘの方向へ少し傾いた方向に立ち上がっている。そして、ピンガイド２７の立ち上げ角度とピン止め部２８の高さとの調整により、ピン止め部２８間は、図５に示すように、ピン２６の先端付近に設けた周溝２９に食い込む相互間隔に設定されている。
【００６９】
１対のピンガイド２７の上方の壁部における両側部からは、対向するピンガイド２７方向へ、挿入部２４と平行に、対の脚部を備えたアーチ状のハンドル部材３０ａ、３０ｂを延設している。図４の右側のピンガイド２７から延設した一方のハンドル部材３０ｂは、ピンガイド２７とは別体に形成して、溶接、ハンダ付け等の強い固着手段で取り付けたものであり、その他の、他方のハンドル部材３０ａを含むピン止め具２３の全ての部分は、単一の材料からなる一体の部品として構成されている。
【００７０】
これらのハンドル部材３０ａ、３０ｂの対の脚部３１は、ピンガイド２７の幅が十分に大きいため、挿入予定のピン２６に干渉しない位置を通過している。更に、ハンドル部材３０ａ、３０ｂの対の脚部３１間には対向するピンガイド２７のピン止め部２８を挿通させている。即ち、ハンドル部材３０ａ、３０ｂの先端部であるブリッジ部３２（対の脚部３１が連結する部分）はピン止め部２８の外側に至り、かつ挿通されたピン止め部２８とブリッジ部３２の間には、後述のハンドル部材押し込み操作に必要なクリアランスが設定されている。これらのブリッジ部３２は、その先端側部分が前記リング軸線Ｘと平行な方向に立ち上げ形成され、指当て部３３とされている。
【００７１】
一方、ハンドル部材３０ａ、３０ｂにおけるそれぞれの対の脚部３１は同じ相互間隔であり、互いに上下に重なっている。そして、上側のハンドル部材３０ｂの対の脚部からは、下側のハンドル部材３０ａの脚部の側方へ屈曲した突片３４が設けられ、これにより上下のハンドル部材３０ａ、３０ｂの動作が相互にガイド及び規制される。
【００７２】
ハンドル部材３０ａ、３０ｂの対の脚部３１が上下に重なり、しかも前記したように、上側のハンドル部材３０ｂは、ピンガイド２７からの折り曲げ成形ではなく、ピンガイド２７に対して強い固着手段で取り付けたものである。従って、ピン止め具２３の使用時において、髪の毛への引掛かり等と言う予想外の理由で、ハンドル部材が立ち上げ変形を受ける方向へ外力を受けても、上側のハンドル部材３０ｂは変形抵抗が強く、下側のハンドル部材３０ａは上側のハンドル部材３０ｂによって押さえられている。
【００７３】
更に、上記の突片３４は図６（ａ）に示す断面構造であるが、好ましい変更例として、図６（ｂ）に示すように、上側のハンドル部材３０ｂから設けられ、下側のハンドル部材３０ａの脚部の側方から裏側まで至る突片３４’を例示することができる。この突片３４’により、上下のハンドル部材３０ａ、３０ｂは、平面方向だけでなく、上下方向の動作についても相互にガイド及び規制されるので、ハンドル部材３０ａ、３０ｂの立ち上げ変形が一層有効に防止される。
【００７４】
以上のように構成されたピン止め具２３の使用状態を、図５及び図７に基づいて説明する。
【００７５】
まず最初に、先端部付近に周溝２９を有するピン２６を、ピン止め具２３の挿入孔２５から刺し込む。刺し込まれたピン２６は、１対のピンガイド２７を弾性的に押し拡げながら、かつピンガイド２７によってガイドされながら進入する。又、ピン止め具２３の上部構造として、１対のアーチ状のハンドル部材３０ａ、３０ｂによって四角形の環状構造が構成されており、ピンの進入動作はこの環状構造によってもガイドされる。従って、ピン２６は、ピン止め具２３に対して常に正確に刺し込まれる。
【００７６】
ピンの周溝２９がピンガイド２７のピン止め部２８間に達した時、弾性的に押し拡げられていたピンガイド２７が元の位置に復帰しようとし、ピン止め部２８が周溝２９に食い込む。これにより、ピン２６がその進入位置で固定される。図５から明らかなように、ピン止め部２８は、ピン２６の抜け方向とは逆の方向から周溝２９に食い込む。そのため、後述のピン止め解除操作を行わない限り、ピン２６は抜けない。
【００７７】
ピン止め具２３からピン２６を抜く場合には、図７に示すように、ごく簡単なピン止め解除操作を行えば良い。即ち、１対のハンドル部材３０ａ、３０ｂの指当て部３３を、手指を用いてピン止め具２３の中心方向へ押し込むのである。この操作により、１対のピンガイド２７がピン２６より離れる方向へ弾性的に変形し、ピン２６の周溝２９に食い込んだピン止め部２８が周溝２９より離脱する。従ってピン２６がピン止め具２３から容易に抜ける。
【００７８】
以上のピン止め解除操作において、ハンドル部材３０ａ、３０ｂの動作は、前記の突片３４（又は突片３４’）によって相互にガイド及び規制されるため、動作が安定している。又、手指を用いて指当て部３３を押し込む際は、必要な範囲まで押し込んだ時点でハンドル部材３０ａ、３０ｂがピン止め部２８に当たる。即ち、ピン止め部２８がストッパーとして機能する。
【００７９】
（実施例２：ピン止め具の第２実施例）
本実施例の説明において、前記の第１実施例と同様である構成及び作用については、説明を省略し、又は簡略化する。
【００８０】
図８に示すピン止め具３５は耳飾り用ピアスのピン止め具であり、弾性的変形が可能な材料である金を用いて、全ての部分が一体的に構成されている。ピン止め具３５における挿入部３６、１対のピンガイド３７及びそれらのピン止め部３８に関する構成は、第１実施例の場合と同様である。
【００８１】
１対のピンガイド３７の上方の壁部における両側部からは、対向するピンガイド３７方向へ、挿入部３６と平行に、対の脚部を備えたアーチ状のハンドル部材３９ａ、３９ｂを延設している。図８の右側のピンガイド３７から延設した一方のハンドル部材３９ｂは対の脚部４０の相互間隔が広く、その対の脚部４０間に他方の幅狭のハンドル部材３９ａを挿入させている。従って相互間隔が広い対の脚部４０間に、幅狭のハンドル部材３９ａの対の脚部４１が横並びの入れ子式に組み付けられている。
【００８２】
そして、内側の対の脚部４１の一方から短手方向に突出された（対の脚部４１の双方から突出されても良い）突片４２が脚部４０の上側面に係止され、一方、対の脚部４０を設けた側のピンガイド３７におけるピン止め部３８から突出された突片４３が対の脚部４１の上側面に係止されている。その結果、アーチ状のハンドル部材３９ａ、３９ｂは、突片４２、４３によって互いに動作をガイドされ、かつ変形等に対して規制される。図８において、これらの突片４２、４３の形状を詳細に示すことは困難なので、図１１を参照されたい。これらの突片４２、４３の作用効果は、「第３発明の効果」欄で説明した通りである。
【００８３】
ハンドル部材３９ａ、３９ｂの先端側部分（ブリッジ部等）の構成は、第１実施例の場合と同様である。又、図９及び図１０に示すピン止め具３５の使用方法についても、突片４２、４３の作用を除き、第１実施例の場合と同様である。
【００８４】
（実施例３：ピン止め具形成用部材）
図１１に示すピン止め具形成用部材４４は、上記ピン止め具３５を形成するために準備されるものであって、弾性的変形が可能な材料である金を用いて、平坦な一体的板状部材として構成されている。
【００８５】
このピン止め具形成用部材４４においては、中央に前記挿入部３６を構成するためのリング状の原挿入部４５を備え、この原挿入部４５の外周対向位置からは、前記１対のピンガイド３７を形成するための１対の原ピンガイド４６を反対方向へ設けている。原ピンガイド４６の長さは、図示の便宜上、図８等の場合とは異なる長さに図示している。
【００８６】
更に、これらの１対の原ピンガイド４６の先端部分においては、その中央部に前記ピン止め部３８を構成するための原ピン止め部４７を備えると共に、その両側部からは、前記アーチ状のハンドル部材３９ａ、３９ｂを構成するための所定の長さの原ハンドル部材４８ａ、４８ｂを先端方向へ向かって設けている。
【００８７】
対の脚部間の相互間隔が広い、幅広の原ハンドル部材４８ｂにおいては、対の脚部間に設けた前記原ピン止め部４７の両側部には、前記の突片４３に相当する原突片４９を設けている。又、対の脚部間の相互間隔が狭い、幅狭の原ハンドル部材４８ａにおいては、その対の脚部の外側部に前記の突片４２に相当する原突片５０を設けている。幅狭の原ハンドル部材４８ａと、その基部に設けた原ピン止め部４７とは、線状の切り込み５１によって区切られているが、この切り込み５１は、幾分のスペース幅を持った切り込み状のスリットとしても良い。
【００８８】
以上のピン止め具形成用部材４４を用いて前記ピン止め具３５を形成する手順は以下の通りである。まず、リング状の原挿入部４５から、１対の原ピンガイド４６を所定の角度に折り曲げて立ち上げる。この際、その折り曲げ線は、図１１に示す線Ｙに沿うように、原挿入部４５のリング中心に対するある程度の円弧状、ないしは原挿入部４５の外周線を構成するリング形状に沿う円弧状であることが好ましい。
【００８９】
この折り曲げ加工（後述する原ハンドル部材４８ａ、４８ｂの折り曲げ加工等においても、同様である）においては、焼鈍等の手段で、材料の弾性的変形能を損なうことなく、折り曲げた部分の形状を固定化することが好ましい。
【００９０】
次に、立ち上げた原ピンガイド４６の先端の原ハンドル部材４８ａ、４８ｂを前記所定の方向に折り曲げ加工する。これらの原ハンドル部材４８ａ、４８ｂを折り曲げた後、これらを互いに逆の回転方向に少し捩じると、原突片４９、５０の干渉を回避しつつ、幅狭の原ハンドル部材４８ａを幅広の原ハンドル部材４８ｂの脚部間に入れ子式の横並び状態で挿入できる。
【産業上の利用可能性】
【００９１】
本発明によって、加工上の困難性や使用上の不具合を伴わず、ピンの挿入力は小さいがピン抜き力は大きく、その大きなピン抜き力Ｂは簡単な操作によって容易に解除されると言う構造的特徴を持つピン止め具が提供される。
【図面の簡単な説明】
【００９２】
【図１】ピン止め具の一般的な構造原理を示す図である。
【００９３】
【図２】従来のピン止め具を示す図である。
【００９４】
【図３】従来のピン止め具を示す図である。
【００９５】
【図４】本発明の実施例に係るピン止め具を示す斜視図である。
【００９６】
【図５】図４のピン止め具の使用状態を示す斜視図である。
【００９７】
【図６】突片の変更例を示す断面図である。
【００９８】
【図７】図４のピン止め具の使用状態を示す斜視図である。
【００９９】
【図８】本発明の実施例に係るピン止め具を示す斜視図である。
【０１００】
【図９】図８のピン止め具の使用状態を示す斜視図である。
【０１０１】
【図１０】図８のピン止め具の使用状態を示す斜視図である。
【０１０２】
【図１１】本発明の実施例に係るピン止め具形成用部材を示す平面図である。
【０１０３】
【図１２】本発明の実施に適したピンの構成を示す断面図である。
【符号の説明】
【０１０４】
２３，３５            ピン止め具
２４，３６            挿入部
２５                  挿入孔
２６                  ピン
２７，３７            ピンガイド
２８，３８            ピン止め部
２９                  周溝
３０ａ，３０ｂ        ハンドル部材
３９ａ，３９ｂ        ハンドル部材
３１，４１            脚部
３２                  ブリッジ部
３３                  指当て部
３４                  突片
４０，４１            脚部
４２，４３            突片
４４                  ピン止め具形成用部材
４５                  原挿入部
４６                  原ピンガイド
４７                  原ピン止め部
４８ａ，４８ｂ        原ハンドル部材
４９，５０            原突片
５１                  切り込み
【図１】
2006000300.tif 000003
【図２】
2006000300.tif 000004
【図３】
2006000300.tif 000005
【図４】
2006000300.tif 000006
【図５】
2006000300.tif 000007
【図６】
2006000300.tif 000008
【図７】
2006000300.tif 000009
【図８】
2006000300.tif 000010
【図９】
2006000300.tif 000011
【図１０】
2006000300.tif 000012
【図１１】
2006000300.tif 000013
【図１２】
2006000300.tif 000014